(57)【要約】【課題】  被検体が特定の運動を行わなくても、被検体の酸素摂取量や消費カロリーを正確に推定することができる生体情報処理システム、電子機器、プログラム及び生体情報処理システムの制御方法等の提供。【解決手段】  生体情報処理システム１００は、被検体に装着されるウェアラブル機器に設けられた生体センサー２００により検出される被検体の生体情報と、ウェアラブル機器に設けられた体動センサー３００により検出される被検体の体動情報と、被検体のユーザー情報とを取得する情報取得部１１０と、生体情報と、体動情報と、ユーザー情報とに基づいて、被検体の最大酸素摂取量を示す最大酸素摂取量情報を推定する処理部１３０と、を含む。【選択図】  図１
2017123897.tif 000002
【特許請求の範囲】
【請求項１】
被検体に装着されるウェアラブル機器に設けられた生体センサーにより検出される前記被検体の生体情報と、前記ウェアラブル機器に設けられた体動センサーにより検出される前記被検体の体動情報と、前記被検体のユーザー情報とを取得する情報取得部と、
前記生体情報と、前記体動情報と、前記ユーザー情報とに基づいて、前記被検体の最大酸素摂取量を示す最大酸素摂取量情報を推定する処理部と、
を含むことを特徴とする生体情報処理システム。
【請求項２】
請求項１において、
前記処理部は、
推定した前記最大酸素摂取量情報と前記生体情報とに基づいて、前記被検体の酸素摂取量情報を求め、前記酸素摂取量情報に基づいて、前記被検体の消費カロリー情報を求めることを特徴とする生体情報処理システム。
【請求項３】
請求項１又は２において、
前記処理部は、
前記生体情報と前記体動情報に基づいて、前記被検体の活動量指標を表す活動量指標情報を求め、前記活動量指標情報と前記ユーザー情報に基づいて、前記最大酸素摂取量情報を求めることを特徴とする生体情報処理システム。
【請求項４】
請求項３において、
前記処理部は、
前記生体情報と前記体動情報に基づいて、前記被検体の活動量を表す活動量情報を求め、求めた前記活動量情報に基づいて、前記活動量指標情報を求めることを特徴とする生体情報処理システム。
【請求項５】
請求項４において、
前記活動量は、
前記被検体が行った運動の運動強度及び運動時間を含むことを特徴とする生体情報処理システム。
【請求項６】
請求項５において、
前記活動量指標情報は、
前記運動強度及び前記運動時間により分類される複数の活動レベルのうち、前記被検体がいずれの活動レベルに属するかを示す情報であることを特徴とする生体情報処理システム。
【請求項７】
請求項４乃至６のいずれかにおいて、
前記活動量は、
前記被検体が行った運動における移動距離を含み、
前記活動量指標情報は、
前記移動距離により分類される複数の活動レベルのうち、前記被検体がいずれの活動レベルに属するかを示す情報であることを特徴とする生体情報処理システム。
【請求項８】
請求項３乃至７のいずれかにおいて、
前記被検体が第１の運動強度以上の運動を行った運動時間を、第１強度運動時間とし、
前記被検体が前記第１の運動強度よりも強い第２の運動強度以上の運動を行った運動時間を、第２強度運動時間とする場合に、
前記処理部は、
前記第１強度運動時間及び前記第２強度運動時間を求め、
前記第１強度運動時間に基づいて、第１の活動レベル〜第ｉの活動レベルのいずれかの活動レベルを（ｉは２以上の整数）、前記被検体の活動レベルとして選択して、前記活動量指標情報を求め、
前記第２強度運動時間に基づいて、第ｊの活動レベル〜第ｋの活動レベルのいずれかの活動レベルを（ｊ及びｋは、ｉ＜ｊ＜ｋの整数）、前記被検体の前記活動レベルとして選択して、前記活動量指標情報を求めることを特徴とする生体情報処理システム。
【請求項９】
請求項３乃至８のいずれかにおいて、
前記被検体が第１の運動強度以上の運動を行った運動時間を、第１強度運動時間とし、
前記被検体が前記第１の運動強度よりも強い第２の運動強度以上の運動を行った運動時間を、第２強度運動時間とする場合に、
前記処理部は、
第１の期間毎に求められた前記生体情報と前記体動情報に基づいて、前記第１の期間よりも長い第２の期間において、前記第１強度運動時間及び前記第２強度運動時間の少なくとも一方を求め、
前記第１強度運動時間及び前記第２強度運動時間の前記少なくとも一方に基づいて、前記活動量指標情報を求めることを特徴とする生体情報処理システム。
【請求項１０】
請求項１乃至９のいずれかにおいて、
所与の期間での前記生体情報の履歴である生体履歴情報、及び前記所与の期間での前記体動情報の履歴である体動履歴情報を記憶する記憶部を含み、
前記処理部は、
前記生体履歴情報及び前記体動履歴情報に基づいて、前記最大酸素摂取量情報を求めることを特徴とする生体情報処理システム。
【請求項１１】
請求項３乃至９のいずれかにおいて、
前記処理部は、
複数の活動量指標情報の平均化処理を行い、前記平均化処理後の活動量指標情報と前記ユーザー情報とに基づいて、前記最大酸素摂取量情報を求めることを特徴とする生体情報処理システム。
【請求項１２】
生体センサーと、
体動センサーと、
被検体の生体情報と、前記被検体の体動情報と、前記被検体のユーザー情報とを取得し、前記生体情報と、前記体動情報と、前記ユーザー情報とに基づいて、前記被検体の最大酸素摂取量を示す最大酸素摂取量情報を推定する処理部と、
を含むことを特徴とする電子機器。
【請求項１３】
被検体に装着されるウェアラブル機器に設けられた生体センサーにより検出される前記被検体の生体情報と、前記ウェアラブル機器に設けられた体動センサーにより検出される前記被検体の体動情報と、前記被検体のユーザー情報とを取得する情報取得部と、
前記生体情報と、前記体動情報と、前記ユーザー情報とに基づいて、前記被検体の最大酸素摂取量を示す最大酸素摂取量情報を推定する処理部として、
コンピューターを機能させることを特徴とするプログラム。
【請求項１４】
被検体に装着されるウェアラブル機器に設けられた生体センサーにより検出される前記被検体の生体情報を取得し、
前記ウェアラブル機器に設けられた体動センサーにより検出される前記被検体の体動情報を取得し、
前記被検体のユーザー情報を取得し、
取得された前記生体情報と、前記体動情報と、前記ユーザー情報とに基づいて、前記被検体の最大酸素摂取量を示す最大酸素摂取量情報を推定することを特徴とする生体情報処理システムの制御方法。
【発明の詳細な説明】
【技術分野】
【０００１】
本発明は、生体情報処理システム、電子機器、プログラム及び生体情報処理システムの制御方法等に関係する。
【背景技術】
【０００２】
近年、健康志向の高まりを背景にして、消費カロリーを正確に把握したいという要望が増えてきた。消費カロリーは、例えば特許文献１において開示されているように、酸素摂取量から推定できることが知られている。そして、特許文献１において開示される発明では、体力差などの個人差を考慮しながら、心拍数から酸素摂取量を推定し、個々人の体力に応じた消費カロリーを推定する。ただし、特許文献１の発明において、被検体の体力を推定する際には、被検体に特定の運動（体力テスト）を行って貰う必要がある。
【０００３】
また、例えば特許文献２には、ウェアラブル機器を用いて被検体の体力評価を行う測定装置が開示されている。
【先行技術文献】
【特許文献】
【０００４】
【特許文献１】特開２００２−３３６２１９号公報
【特許文献２】特開平７−３３３３６７号公報
【発明の概要】
【発明が解決しようとする課題】
【０００５】
前述したように、特許文献１の発明では、消費カロリーを正確に推定するために、事前に被検体の体力を推定しておく必要がある。この際には、運動強度と消費カロリーとの関係があらかじめ分かっている特定の運動を被検体に行って貰う必要がある。
【０００６】
しかし、特定の運動（体力テスト）を正確に行うことは面倒であるとともに、非常に難しいことでもある。例えば、最も単純な運動であるウォーキングによる体力テストを行う場合であっても、ユーザー（被検体）は、歩行する距離や速度を正確に測定する何らかの手段が必要となる。結局、トレッドミルなどの装置を用いることになり、ユーザーがその高価な装置を入手するか、その装置が設置されている場所にユーザー自身が行かなくてはならなくなる。
【０００７】
さらに、例えば日々の運動や、長期の静養などによりユーザーの体力等が変化すれば、心拍数と酸素摂取量との関係も経時変化する。そして、その経時変化を考慮して、心拍数から正確に酸素摂取量を推定しようとすると、その煩わしい体力テストを定期的に行うことが必要となる。
【０００８】
本発明の幾つかの態様によれば、被検体が特定の運動を行わなくても、被検体の酸素摂取量や消費カロリーを正確に推定することができる生体情報処理システム、電子機器、プログラム及び生体情報処理システムの制御方法等を提供することができる。
【課題を解決するための手段】
【０００９】
本発明の一態様は、被検体に装着されるウェアラブル機器に設けられた生体センサーにより検出される前記被検体の生体情報と、前記ウェアラブル機器に設けられた体動センサーにより検出される前記被検体の体動情報と、前記被検体のユーザー情報とを取得する情報取得部と、前記生体情報と、前記体動情報と、前記ユーザー情報とに基づいて、前記被検体の最大酸素摂取量を示す最大酸素摂取量情報を推定する処理部と、を含む生体情報処理システムに関係する。
【００１０】
本発明の一態様では、被検体に装着されるウェアラブル機器に設けられた生体センサーにより検出される被検体の生体情報を取得し、ウェアラブル機器に設けられた体動センサーにより検出される被検体の体動情報を取得し、被検体のユーザー情報を取得する。そして、取得された生体情報と、体動情報と、ユーザー情報とに基づいて、被検体の最大酸素摂取量を示す最大酸素摂取量情報を推定する。よって、被検体が特定の運動を行わなくても、被検体の酸素摂取量や消費カロリーを正確に推定することが可能となる。
【００１１】
また、本発明の一態様では、前記処理部は、推定した前記最大酸素摂取量情報と前記生体情報とに基づいて、前記被検体の酸素摂取量情報を求め、前記酸素摂取量情報に基づいて、前記被検体の消費カロリー情報を求めてもよい。
【００１２】
これにより、あるタイミングにおいて、被検体の体力に応じて摂取された酸素摂取量を正確に推定することができ、その期間において消費された消費カロリーを推定すること等が可能になる。
【００１３】
また、本発明の一態様では、前記処理部は、前記生体情報と前記体動情報に基づいて、前記被検体の活動量指標を表す活動量指標情報を求め、前記活動量指標情報と前記ユーザー情報に基づいて、前記最大酸素摂取量情報を求めてもよい。
【００１４】
これにより、各被検体の体力に応じた最大酸素摂取量情報を求めること等が可能になる。
【００１５】
また、本発明の一態様では、前記処理部は、前記生体情報と前記体動情報に基づいて、前記被検体の活動量を表す活動量情報を求め、求めた前記活動量情報に基づいて、前記活動量指標情報を求めてもよい。
【００１６】
これにより、活動量情報に基づいて求められた活動量指標情報と、ユーザー情報とに基づいて、最大酸素摂取量情報を求めること等が可能になる。
【００１７】
また、本発明の一態様では、前記活動量は、前記被検体が行った運動の運動強度及び運動時間を含んでもよい。
【００１８】
これにより、例えば運動強度及び運動時間に基づいて活動量指標情報を求めること等が可能になる。
【００１９】
また、本発明の一態様では、前記活動量指標情報は、前記運動強度及び前記運動時間により分類される複数の活動レベルのうち、前記被検体がいずれの活動レベルに属するかを示す情報であってもよい。
【００２０】
これにより、被検体の運動強度及び運動時間に基づいて複数の活動レベルを定義し、被検体が、複数の活動レベルのうちのどの活動レベルに属するかを特定すること等が可能になる。
【００２１】
また、本発明の一態様では、前記活動量は、前記被検体が行った運動における移動距離を含み、前記活動量指標情報は、前記移動距離により分類される複数の活動レベルのうち、前記被検体がいずれの活動レベルに属するかを示す情報であってもよい。
【００２２】
これにより、被検体の移動距離に基づいて複数の活動レベルを定義し、被検体が、複数の活動レベルのうちのどの活動レベルに属するかを特定すること等が可能になる。
【００２３】
また、本発明の一態様では、前記被検体が第１の運動強度以上の運動を行った運動時間を、第１強度運動時間とし、前記被検体が前記第１の運動強度よりも強い第２の運動強度以上の運動を行った運動時間を、第２強度運動時間とする場合に、前記処理部は、前記第１強度運動時間及び前記第２強度運動時間を求め、前記第１強度運動時間に基づいて、第１の活動レベル〜第ｉの活動レベルのいずれかの活動レベルを（ｉは２以上の整数）、前記被検体の活動レベルとして選択して、前記活動量指標情報を求め、前記第２強度運動時間に基づいて、第ｊの活動レベル〜第ｋの活動レベルのいずれかの活動レベルを（ｊ及びｋは、ｉ＜ｊ＜ｋの整数）、前記被検体の前記活動レベルとして選択して、前記活動量指標情報を求めてもよい。
【００２４】
これにより、例えば被検体の運動習慣に合わせて、活動量指標情報の求め方を変えること等が可能になる。
【００２５】
また、本発明の一態様では、前記被検体が第１の運動強度以上の運動を行った運動時間を、第１強度運動時間とし、前記被検体が前記第１の運動強度よりも強い第２の運動強度以上の運動を行った運動時間を、第２強度運動時間とする場合に、前記処理部は、第１の期間毎に求められた前記生体情報と前記体動情報に基づいて、前記第１の期間よりも長い第２の期間において、前記第１強度運動時間及び前記第２強度運動時間の少なくとも一方を求め、前記第１強度運動時間及び前記第２強度運動時間の前記少なくとも一方に基づいて、前記活動量指標情報を求めてもよい。
【００２６】
これにより、被検体の短期的な活動量の変化を活動量指標情報に反映させにくくすること等が可能になる。
【００２７】
また、本発明の一態様では、所与の期間での前記生体情報の履歴である生体履歴情報、及び前記所与の期間での前記体動情報の履歴である体動履歴情報を記憶する記憶部を含み、前記処理部は、前記生体履歴情報及び前記体動履歴情報に基づいて、前記最大酸素摂取量情報を求めてもよい。
【００２８】
これにより、最大酸素摂取量情報の短期的な変動を抑制すること等が可能になる。
【００２９】
また、本発明の一態様では、前記処理部は、複数の活動量指標情報の平均化処理を行い、前記平均化処理後の活動量指標情報と前記ユーザー情報とに基づいて、前記最大酸素摂取量情報を求めてもよい。
【００３０】
これにより、例えば新たに取得された活動量指標情報の活動量指標が前回値と大きく違っていても、推定される最大酸素摂取量情報の変動を抑制すること等が可能になる。
【００３１】
また、本発明の他の態様は、生体センサーと、体動センサーと、被検体の生体情報と、前記被検体の体動情報と、前記被検体のユーザー情報とを取得し、前記生体情報と、前記体動情報と、前記ユーザー情報とに基づいて、前記被検体の最大酸素摂取量を示す最大酸素摂取量情報を推定する処理部と、を含む電子機器に関係する。
【００３２】
また、本発明の他の態様では、上記各部としてコンピューターを機能させるプログラムに関係する。
【００３３】
また、本発明の他の態様では、被検体に装着されるウェアラブル機器に設けられた生体センサーにより検出される前記被検体の生体情報を取得し、前記ウェアラブル機器に設けられた体動センサーにより検出される前記被検体の体動情報を取得し、前記被検体のユーザー情報を取得し、取得された前記生体情報と、前記体動情報と、前記ユーザー情報とに基づいて、前記被検体の最大酸素摂取量を示す最大酸素摂取量情報を推定する生体情報処理システムの制御方法（作動方法）に関係する。
【図面の簡単な説明】
【００３４】
【図１】本実施形態に係る生体情報処理システムの構成例。
【図２】各種情報の説明図。
【図３】酸素摂取量と心拍数の相関関係の説明図。
【図４】本実施形態の処理の流れを説明するフローチャート。
【図５】運動強度と運動強度に対応付けられたゾーンの説明図。
【図６】ＰＡ−Ｒの説明図。
【図７】図７Ａは第１強度運動時間とＰＡ−Ｒの相関関係の説明図であり、図７Ｂは第２強度運動時間とＰＡ−Ｒの相関関係の説明図。
【図８】生体履歴情報と体動履歴情報の説明図。
【図９】活動量指標情報の平均化処理の説明図。
【図１０】図１０Ａ、図１０Ｂはウェアラブル機器の構成例。
【図１１】ウェアラブル機器の構成例。
【図１２】図１２Ａ〜図１２Ｃは生体情報処理システムの具体的な実現例。
【発明を実施するための形態】
【００３５】
以下、本実施形態について説明する。なお、以下で説明する本実施形態は、特許請求の範囲に記載された本発明の内容を不当に限定するものではない。また、本実施形態で説明される構成の全てが、本発明の必須構成要件であるとは限らない。
【００３６】
１．概要
前述した特許文献１において開示されているように、被検体の消費カロリーは、例えば被検体の酸素摂取量から推定することができる。しかし、日常生活において酸素摂取量を直接求めることは困難であるため、後述する図３に示すように、予め酸素摂取量と心拍数の関係を示す相関情報（グラフの直線ＣＭＲ）を求めておき、この相関情報と、生体センサーから取得される心拍数とに基づいて酸素摂取量を推定する。図３に示すような相関情報は、被検体の最大酸素摂取量（以下、ＶＯ２ｍａｘとも呼ぶ）と、ＶＯ２ｍａｘに対応する最大心拍数（以下、ＨＲｍａｘとも呼ぶ）と、被検体が安静時の酸素摂取量（以下、ＶＯ２ｒｅｓｔとも呼ぶ）と、安静時の心拍数（以下、ＨＲｒｅｓｔとも呼ぶ）とにより求められる。図３に示すように、酸素摂取量と心拍数の相関情報を用いれば、例えば心拍数がＨＲ’である場合には、酸素摂取量がＶＯ２’であると推定することができ、さらにＶＯ２’に対応する消費カロリーを求めることができる。
【００３７】
ここで、酸素摂取量とは、有酸素性エネルギー代謝で１分間当たりのエネルギー生成に必要な酸素量のことを言う。そのため、前述したように、酸素摂取量を測定することで、有酸素性エネルギー代謝で生成されたエネルギー量、すなわち消費カロリーを求めることができる。そして、１分間当たりに身体に取り込める酸素摂取量の最大値を、最大酸素摂取量（ＶＯ２ｍａｘ）と言う。
【００３８】
また、人は運動強度を上げていくと、それに伴い酸素の需要量が増え、酸素摂取量が増加する。そして、各人にとって、最も激しい運動か、それに準ずる運動強度の時に、酸素摂取量がそれ以上増加することがなくなり、この時の酸素摂取量がＶＯ２ｍａｘとして扱われる。なお、酸素摂取量には、絶対値で表される［ｍＬ／ｍｉｎ］、若しくは相対値で表される［ｍＬ／ｋｇ／ｍｉｎ］がある。
【００３９】
そして、ＶＯ２ｍａｘの特定方法には、例えば呼気ガス分析装置を用いて計測を行う方法（直接法）や、最大作業テスト及び最大下作業テスト、作業を伴わないテストのうちのいずれかのテストを行うことにより推定する方法（間接法）等がある。
【００４０】
具体的に、呼気ガス分析装置を用いた直接法では、被験者に最大努力の運動を行って貰い、その時の呼気ガス成分を分析することにより、ＶＯ２ｍａｘを求める。
【００４１】
また、最大作業テストによる間接法では、被験者にランニングを一定時間（又は一定距離）、最大努力で行って貰い、そのパフォーマンスからＶＯ２ｍａｘを推定する。例えば、最大作業テストには、１２分間走テスト（クーパーテスト）や２０ｍシャトルラン等の体力テストがある。
【００４２】
そして、最大下作業テストによる間接法では、被験者にランニングやウォーキングを一定時間（又は一定距離）、無理のない運動強度で行って貰い、そのパフォーマンスからＶＯ２ｍａｘを推定する。例えば、最大下作業テストには、Ａｓｔｒａｎｄノモグラムや１マイルウォーキング／ジョギングテスト等の体力テストがある。
【００４３】
さらに、作業を伴わない間接法では、安静時心拍数やアンケート回答による身体活動レベルからＶＯ２ｍａｘを推定する。この場合には、被験者に作業テストを行って貰う必要はない。
【００４４】
しかし、いずれの計測方法においても下記のような問題点がある。例えば、ＶＯ２ｍａｘを直接法で計測する方法には、呼気ガス分析装置が必要となるため、被験者が気軽に計測することができないという問題がある。また、最大作業テストを行う間接法には、最大努力が必要となるため、非鍛錬者の実施が困難であるという問題がある。そして、最大下作業テストを行う間接法は、無理なく実施することはできるが、決められた作業を実施しなければならない（非日常生活の中での実施）ため、一般のユーザーが計測することは難しいという問題がある。また、前述したように、特定の運動（体力テスト）を行って正確な測定を行うためには、トレッドミルなどの装置を用いる必要があり、ユーザーがその高価な装置を入手するか、その装置が設置されている場所にユーザー自身が行かなくてはならないという問題もある。さらに、アンケートによる推定では、誰でも実施できるが、主観要素が強く、信頼性が低いという問題がある。
【００４５】
前述した特許文献１において開示される発明では、体力差などの個人差を考慮しながら消費カロリーを推定するために、このような体力テストを行う必要があった。そのため、個人差を考慮した消費カロリーを取得することができる反面、体力テストを行うのがユーザーにとっては煩わしいという問題があった。さらに、前述したように、ユーザーの体力等が経時変化すれば、心拍数と酸素摂取量との関係も経時変化するため、煩わしい体力テストを定期的に行うことが必要となる。
【００４６】
そこで、以下で説明する本実施形態では、被検体が特定の運動を行わなくても、被検体の酸素摂取量や消費カロリーを正確に推定可能にする。より具体的に言えば、被検体が特定の体力テストを行わなくても、被検体の体力に応じたＶＯ２ｍａｘを推定し、推定したＶＯ２ｍａｘに基づいて正確な酸素摂取量を推定する。これにより、煩わしい体力テストを被検体に行わせずに、被検体の体力を考慮した消費カロリーを求めることができるようにする。
【００４７】
２．システム構成例
図１に本実施形態の生体情報処理システム１００及びこれを含む電子機器の構成例を示す。本実施形態の生体情報処理システム１００（生体情報処理装置）は、情報取得部１１０と、処理部１３０と、記憶部１５０（メモリー）とを含む。また、生体情報処理システム１００を含む電子機器の例としては、生体センサー２００と、体動センサー３００と、処理部１３０（プロセッサー４００）を含むウェアラブル機器５００などが挙げられる。電子機器は、不図示の報知部（例えば表示部や音声出力部）等を含んでいても良い。本実施形態の生体情報処理システム１００の一部又は全部の機能は、例えばウェアラブル機器５００により実現される。但し、生体情報処理システム１００の一部又は全部の機能を、例えばスマートフォンなどのウェアラブル機器５００とは異なる電子機器（携帯電子機器）や、サーバーシステムにより実現したりしてもよい。生体情報処理システムの具体的な構成例については、図１２Ａ〜図１２Ｃを用いて後述する。なお、生体情報処理システム１００及びこれを含む電子機器は、図１の構成に限定されず、これらの一部の構成要素を省略したり、他の構成要素を追加したりするなどの種々の変形実施が可能である。
【００４８】
次に各部で行われる処理について説明する。
【００４９】
情報取得部１１０は、被検体の生体情報と、被検体の体動情報と、被検体のユーザー情報とを取得する。生体情報は、被検体に装着されるウェアラブル機器５００に設けられた生体センサー２００により検出される。同様に、体動情報は、ウェアラブル機器５００に設けられた体動センサー３００により検出される。
【００５０】
例えば図１２Ａを用いて後述するように、本実施形態に係る生体情報処理システム１００がサーバーシステムにより実現され、当該サーバーシステムが、ユーザーに装着されるウェアラブル機器５００から生体情報及び体動情報を取得する場合であれば、情報取得部１１０は、ネットワークを介してウェアラブル機器５００との通信を行う通信部（ウェアラブル機器５００からの情報を受信する受信部）であってもよい。通信部は、例えばＵＳＢコネクター（通信端子）や無線アンテナなどの通信デバイスであってもよいし、通信デバイスを制御するプロセッサー等であってもよい。
【００５１】
そして、生体センサー２００（生体センサーデバイス）は、被検体に装着されるウェアラブル機器５００に設けられ、被検体の生体情報を取得可能なセンサーである。例えば図２に示すように、生体情報ＳＩは、生体センサー２００から取得される、被検体の生体活動を表す情報であり、例えば脈拍数（心拍数）や体温、血圧、血流量、活動時間（睡眠時間）、活動状態（運動状態）などを示す情報である。例えば、情報取得部１１０が、生体情報として脈波情報を取得する場合には、生体センサー２００として脈波センサーを用いる。脈波情報は、被検体の脈波に関する情報であり、例えば前述した脈拍数（心拍数）などを示す情報である。そして、脈波センサーは、脈波情報（脈波信号）を検出するためのセンサーであり、例えば発光部と受光部とを含む光電センサー等が考えられる。脈波センサーは、光電センサーや、その他の形態のセンサー（例えば超音波センサー）等、種々のセンサーにより実現できることが知られており、本実施形態の脈波センサーはそれらのセンサーを広く適用可能である。また、生体センサー２００は、血圧センサーや温度センサーなどを含むように構成しても良い。
【００５２】
また、体動センサー３００（体動センサーデバイス）は、被検体に装着されるウェアラブル機器５００に設けられ、被検体の体動情報を取得可能なセンサーである。例えば図２に示すように、体動情報ＰＩは、体動センサー３００から取得される、被検体の体動を示す情報であり、例えば被検体の移動距離、歩数、歩幅、移動時間、移動速度、加速度、運動時間、運動量、運動強度（活動強度）、運動内容（活動内容）等を示す情報である。体動センサー３００としては、例えば加速度センサー等を用いることができる。この場合には、情報取得部１１０は、加速度センサーから、生体情報として加速度情報（又は位置情報）を取得する。また他にも、体動センサー３００は、例えばＧＰＳ（Global Positioning System）受信機等であってもよい。その場合には、ＧＰＳ受信機（体動センサー３００）が、ＧＰＳ衛星から送信される電波に基づいて、ウェアラブル機器５００（被検体）の現在位置を示す位置情報を取得し、情報取得部１１０が、体動情報としてウェアラブル機器５００（被検体）の位置情報を取得する。
【００５３】
そして、例えば図２に示すように、ユーザー情報ＵＩは、被検体のプロフィールや、被検体の身体に関する情報であり、例えば被検体の年齢、性別、身長、体重、ＢＭＩ、生活習慣（運動習慣）、職業等を示す情報である。ユーザー情報は、例えばプロセッサー４００と通信可能な不図示の操作部等からユーザーによって入力され、情報取得部１１０がこれを取得して、記憶部１５０に記憶されている。そして、後述する処理部１３０が、記憶部１５０からユーザー情報を読み出して、各種処理に用いる。
【００５４】
処理部１３０は、生体情報と、体動情報と、ユーザー情報とに基づいて、被検体の最大酸素摂取量（ＶＯ２ｍａｘ）を示す最大酸素摂取量情報を推定する。最大酸素摂取量情報は、前述したＶＯ２ｍａｘを示す情報である。処理部１３０の機能は、各種プロセッサー（ＣＰＵ等）、ＡＳＩＣ（ゲートアレイ等）などのハードウェアや、プログラムなどにより実現できる。例えば図１の例においては、プロセッサー４００が、処理部１３０と情報取得部１１０の機能を実現している。ただし、本実施形態はこれに限定されず、例えば生体情報処理システム１００が複数のプロセッサーを含み、処理部１３０の機能を第１のプロセッサーが実現し、情報取得部１１０の機能を第２のプロセッサーが実現するなど、種々の変形実施が可能である。
【００５５】
前述した生体情報や体動情報は、被検体が日々の生活（活動）や運動を行っている際に取得される情報であり、ユーザー情報は、例えば事前に被検体に登録してもらう情報である。そのため、どの情報も、前述した特許文献１の発明のように、被検体に特定の体力テストを行って貰って取得する情報ではない。そして、本実施形態では、これらの情報（生体情報、体動情報、ユーザー情報）に基づいて、ＶＯ２ｍａｘを推定する。ＶＯ２ｍａｘの具体的な推定方法は後述するが、ＶＯ２ｍａｘを特定することが出来れば、被検体の酸素摂取量（ＶＯ２）を正確に推定することができる。
【００５６】
よって、本実施形態によれば、被検体が特定の運動を行わなくても、被検体の酸素摂取量を正確に推定することが可能となる。
【００５７】
なお、本実施形態では以下のような構成としてもよい。即ち、生体情報処理システム１００は、情報（例えばプログラムや各種のデータ）を記憶するメモリー（記憶部１５０）と、メモリーに記憶された情報に基づいて動作するプロセッサー４００（処理部１３０、ハードウェアで構成されるプロセッサー）と、を含む。プロセッサー４００は、ウェアラブル機器５００に設けられた生体センサー２００（生体センサーデバイス）から、被検体の生体情報を取得し、ウェアラブル機器５００に設けられた体動センサー３００（体動センサーデバイス）から、被検体の体動情報を取得し、メモリーから被検体のユーザー情報を取得する。そして、プロセッサー４００は、生体情報と、体動情報と、ユーザー情報とに基づいて、被検体の最大酸素摂取量（ＶＯ２ｍａｘ）を示す最大酸素摂取量情報を推定する。
【００５８】
プロセッサー（処理部１３０）は、例えば各部の機能が個別のハードウェアで実現されてもよいし、或いは各部の機能が一体のハードウェアで実現されてもよい。プロセッサーは、例えばＣＰＵ（Central Processing Unit）であってもよい。ただしプロセッサーはＣＰＵに限定されるものではなく、ＧＰＵ（Graphics Processing Unit）、或いはＤＳＰ（Digital Signal Processor）等、各種のプロセッサーを用いることが可能である。またプロセッサーはＡＳＩＣ（Application Specific Integrated Circuit）によるハードウェア回路でもよい。メモリー（記憶部１５０）は、例えばＳＲＡＭ、ＤＲＡＭなどの半導体メモリーであってもよいし、レジスターであってもよいし、ハードディスク装置等の磁気記憶装置であってもよいし、光学ディスク装置等の光学式記憶装置であってもよい。例えば、メモリーはコンピューターにより読み取り可能な命令を格納しており、当該命令がプロセッサーにより実行されることで、処理部１３０の各部の機能が実現されることになる。ここでの命令は、プログラムを構成する命令セットの命令でもよいし、プロセッサーのハードウェア回路に対して動作を指示する命令であってもよい。
【００５９】
３．消費カロリー情報の算出方法
次に、本実施形態の手法について説明する。
【００６０】
まず、ＶＯ２ｍａｘに基づいて消費カロリーを求める処理について説明する。図２に示すように、処理部１３０は、推定した最大酸素摂取量情報ＭＯＩと生体情報ＳＩとに基づいて、被検体の酸素摂取量情報ＯＩを求め、酸素摂取量情報ＯＩに基づいて、被検体の消費カロリー情報ＵＣＩを求める。なお、酸素摂取量情報ＯＩは、あるタイミングにおける被検体の酸素摂取量（ＶＯ２）を示す情報である。そして、消費カロリー情報ＵＣＩは、ある期間における被検体の消費カロリーを示す情報である。
【００６１】
ここで、図３を用いて、より具体的な説明を行う。前述したように、被検体の消費カロリーは、例えば被検体の酸素摂取量から推定することができるが、日常生活のあるタイミングにおける酸素摂取量を直接求めることは困難である。
【００６２】
ところで、酸素摂取量と心拍数には図３のグラフに示されるような（略）比例関係があることが分かっている。つまり、図３のグラフに示されるように、心拍数が大きくなればなるほど、酸素摂取量も増える。図３のグラフは、縦軸が酸素摂取量（ＶＯ２）を表し、横軸が心拍数（ＨＲ）を表すグラフであり、酸素摂取量と心拍数の相関関係を示している。心拍数であれば、被検体が日常生活を行っている最中でも、被検体に負担をかけずに、脈波センサー等の生体センサーにより取得することが可能である。
【００６３】
そこで、本実施形態では、酸素摂取量ＶＯ２と心拍数ＨＲの関係を示す相関情報、すなわち図３の直線ＣＭＲを予め求めておき、この相関情報と、生体センサー（脈波センサー）から取得される心拍数（脈拍数）とに基づいて酸素摂取量を推定する。例えば、心拍数がＨＲ’である場合には、酸素摂取量がＶＯ２’であると推定することができる。
【００６４】
そして、前述したように、図３に示すような相関情報（ＣＭＲ）は、最大酸素摂取量ＶＯ２ｍａｘと、ＶＯ２ｍａｘに対応する最大心拍数ＨＲｍａｘと、安静時酸素摂取量ＶＯ２ｒｅｓｔと、ＶＯ２ｒｅｓｔに対応する安静時心拍数ＨＲｒｅｓｔと、に基づいて求めることができる。
【００６５】
ただし、本実施形態の被検体がウェアラブル機器を着け始めた時点では、まだ被検体の活動量等が特定されていない。そのため、被検体の体力等を考慮せずに、被検体の身長や年齢、体重等のユーザー情報に基づいて、図３のＢＭＲで示すような相関情報を求める。この直線ＢＭＲにより表される酸素摂取量と心拍数の相関関係は、統計的に得られた全体の傾向に基づくものであり、各被検体の体力に応じた酸素摂取量と心拍数の相関関係を正確に示すものではない。そこで、本実施形態では、被検体がウェアラブル機器を装着して運動を行うことによって得られる被検体の活動量に基づいて、各被検体の体力を推定して、各被検体における酸素摂取量と心拍数の相関関係を正確に示す直線ＣＭＲを求める。以下では、ウェアラブル機器を装着した直後に、直線ＢＭＲを求めたタイミングを第１のタイミングとし、ウェアラブル機器を装着して所定期間、運動を行った後に直線ＣＭＲを求めたタイミングを第２のタイミングとする。
【００６６】
具体的に本実施形態では、図４のフローチャートで示す処理を行って、酸素摂取量と心拍数の相関関係を求めて、消費カロリーを求める。なお、本実施形態では、図４に示すような一連の処理を例えば定期的（例えば１日毎）に行う。また、生体情報処理システム１００のユーザーから消費カロリーを求めるように指示が入力された場合に、図４に示すような処理を行っても良い。
【００６７】
まず、情報取得部１１０が、記憶部１５０等からユーザー情報を取得する（Ｓ１０１）。次に、情報取得部１１０が、生体センサー２００から生体情報を取得し、体動センサー３００から体動情報を取得する（Ｓ１０２）。次に、処理部１３０が、取得された生体情報及び体動情報の少なくとも一方に基づいて、被検体の活動量情報を特定する（Ｓ１０３）。
【００６８】
次に、処理部１３０は、生体情報に基づいてＨＲｒｅｓｔを特定する（Ｓ１０４）。例えば、ＨＲｒｅｓｔは、脈波センサーから取得される脈波情報の中から、安静時に取得された最も低い心拍数を特定することにより求めることができる。なお、ＨＲｒｅｓｔは随時新しい値に更新される。例えば図３の例において、第１のタイミングではＨＲｒｅｓｔとしてＨＲｒｅｓｔ１の値が得られ、第２のタイミングではＨＲｒｅｓｔとしてＨＲｒｅｓｔ２の値が得られたものとする。
【００６９】
そして、処理部１３０は、ユーザー情報に基づいてＶＯ２ｒｅｓｔを求める（Ｓ１０５）。例えばＶＯ２ｒｅｓｔは、ユーザー情報である身長、年齢、体重、性別を用いて、ハリス―ベネディクトの式により求めることができる。または、ＶＯ２ｒｅｓｔは、ＨＲｍａｘと同様に、予め統計的に作成された基礎代謝テーブル等から求めても良い。なお、ＶＯ２ｒｅｓｔは短期的には変化しないため、第１のタイミングと第２のタイミングで同じ値を用いるものとする。
【００７０】
さらに、処理部１３０は、活動量情報に基づいて、後述する活動量指標情報としてＰＡ−Ｒ（Physical Activity Rate）を求める（Ｓ１０６）。ＰＡ−Ｒの求め方については、図６を用いて詳細に後述する。なお、まだウェアラブル機器を付けて運動を行っていない第１のタイミングでは、本処理を行わなくても良い。
【００７１】
そして、処理部１３０は、ユーザー情報と、求めたＰＡ−Ｒを用いてＪａｃｋｓｏｎの式（１）により、ＶＯ２ｍａｘを求める（Ｓ１０７）。
【００７２】
ＶＯ２ｍａｘ＝α＋β×Ｐ−γ×Ａ−Δ×Ｂ＋ε×Ｇ・・・（１）
上式（１）において、αは所与の切片であり、ＰはＰＡ―Ｒであり、Ａは被検体の年齢であり、Ｂは被検体のＢＭＩであり、Ｇは被検体の性別である。また、βは所与のＰＡ−Ｒの係数であり、γは所与の年齢係数であり、Δは所与のＢＭＩ係数であり、εは所与の性別係数である。なお、第１のタイミングでは、ＰＡ−Ｒが求められていないため、予め年齢等のユーザー情報に対応付けて記憶されているＶＯ２ｍａｘを用いても良い。
【００７３】
次に、処理部１３０は、例えばユーザー情報に基づいてＨＲｍａｘを求める（Ｓ１０８）。例えばＨＲｍａｘは、予め統計的に作成された、年齢とＨＲｍａｘとの対応テーブルに基づいて求めることができる。この対応テーブルは例えば記憶部１５０に記憶されており、処理部１３０が、対応テーブルから、被検体の年齢に対応するＨＲｍａｘを読み出す。被検体の年齢は、前述したユーザー情報の１つとして、情報取得部１１０によって取得される。なお、ＨＲｍａｘは、基本的には、対応テーブルから読み出した固定値を用いるが、例えば脈波センサーにおいて、設定されているＨＲｍａｘよりも高い心拍数が検出された場合には、ＨＲｍａｘを更新することも可能である。図３の例では、第１のタイミングと第２のタイミングで同じ値を用いるものとする。
【００７４】
そして、処理部１３０は、ＶＯ２ｒｅｓｔと、ＶＯ２ｍａｘと、ＨＲｒｅｓｔと、ＨＲｍａｘとに基づいて、酸素摂取量と心拍数の相関情報を求める（Ｓ１０９）。ウェアラブル機器を装着してまだ運動を行っていない第１のタイミングでは、ＶＯ２ｒｅｓｔと、テーブルから求めたＶＯ２ｍａｘと、ＨＲｒｅｓｔ１と、ＨＲｍａｘとに基づいて図３の直線ＢＭＲが求められる。一方、被検体がウェアラブル機器を装着しながら、しばらく運動を続けた後の第２のタイミングでは、ＶＯ２ｒｅｓｔと、ＶＯ２ｍａｘ（推定値）と、ＨＲｒｅｓｔ２と、ＨＲｍａｘとに基づいて図３の直線ＣＭＲを求めることができる。
【００７５】
その後、情報取得部１１０は、現時点の被検体の心拍数ＨＲを取得し、処理部１３０が、図３に示すような酸素摂取量と心拍数の相関情報（ＢＭＲ又はＣＭＲ）と、取得した心拍数ＨＲとに基づいて、酸素摂取量ＶＯ２を推定する（Ｓ１１０）。そして、処理部１３０が、酸素摂取量に基づいて消費カロリーを推定する（Ｓ１１１）。エネルギー消費時には、必ず酸素が使用される。具合的には、例えば約５ｋｃａｌが消費されるためには、１リットルの酸素が使用される。ステップＳ１１１では、このような対応関係に基づいて、酸素摂取量から消費カロリーを推定する。
【００７６】
これにより、本実施形態では、あるタイミングにおいて、被検体の体力に応じて摂取された酸素摂取量を正確に推定することができ、その期間において消費された消費カロリーを推定することができる。よって、煩わしい体力テストを被検体に行わせずに、被検体の体力を考慮した消費カロリーを求めること等が可能になる。
【００７７】
４．最大酸素摂取量情報の算出方法
次に、消費カロリー情報を推定する際に用いた最大酸素摂取量情報の求め方について詳細に説明する。
【００７８】
図２に示すように、処理部１３０は、生体情報ＳＩと体動情報ＰＩに基づいて、被検体の活動量指標を表す活動量指標情報ＰＡＩを求め、活動量指標情報ＰＡＩとユーザー情報ＵＩに基づいて、最大酸素摂取量情報ＭＯＩを求める。
【００７９】
これにより、各被検体の体力に応じた最大酸素摂取量情報を求めること等が可能になる。
【００８０】
この活動量指標情報ＰＡＩは、図２に示すように、被検体の活動量を表す活動量情報ＡＩに基づいて求められる情報である。また、活動量情報ＡＩは、生体情報ＳＩと体動情報ＰＩ（のうちの少なくとも一方の情報）に基づいて求められる情報である。
【００８１】
以上をまとめると、処理部１３０は、図２に示すように、情報取得部１１０から取得される生体情報ＳＩと体動情報ＰＩに基づいて、活動量情報ＡＩを求め、求めた活動量情報ＡＩに基づいて、活動量指標情報ＰＡＩを求める。これにより、処理部１３０は、活動量情報ＡＩに基づいて求められた活動量指標情報ＰＡＩと、ユーザー情報ＵＩとに基づいて、最大酸素摂取量情報ＭＯＩを求めること等が可能になる。
【００８２】
ここで、活動量情報ＡＩとは、被検体の活動量を表す情報である。そして、例えば活動量は、被検体が行った運動の運動強度及び運動時間、移動距離（歩行距離、走行距離）等を含む。
【００８３】
また、運動強度（ＨＲＲ：Heart Rate Reserved）は、被検体が行った運動内容の激しさ（強さ）の指標のことであり、例えば図５の表に示すように、各運動内容に対応付けられて、０〜１００％の値で表される。そして、図５の例では、運動強度の所与の範囲に対して、ゾーンと呼ばれる区分が対応付けられる。ここでは、図５の表を、ゾーン設定情報と呼ぶこととする。このゾーン設定情報は、被検体により実施される運動の運動強度を複数のゾーンに振り分けたテーブルであり、例えば記憶部１５０に記憶されている。
【００８４】
具体的に、図５のゾーン設定情報では、運動強度（ＨＲＲ）が、ｓ１％以上ｓ２％未満である範囲をゾーンＺ１と設定し、ｓ２％以上ｓ３％未満である範囲をゾーンＺ２と設定し、ｓ３％以上ｓ４％未満である範囲をゾーンＺ３と設定し、ｓ４％以上ｓ５％未満である範囲をゾーンＺ４と設定し、ｓ５％以上ｓ６％以下である範囲をゾーンＺ５と設定している。そして、各ゾーンに対して、それぞれ対応する運動内容が設定されている。
【００８５】
さらに詳述すると、ＨＲＲがｓ１％以上ｓ２％未満のゾーンＺ１には、運動内容として「ウォームアップ」が設定されている。そして、ＨＲＲがｓ２％以上ｓ３％未満のゾーンＺ２には、運動内容として「脂肪燃焼運動」が設定され、ＨＲＲがｓ３％以上ｓ４％未満のゾーンＺ３には、運動内容として「有酸素運動」が設定されている。さらに、ＨＲＲがｓ４％以上ｓ５％未満のゾーンＺ４には、運動内容として「無酸素運動」が設定され、ＨＲＲがｓ５％以上ｓ６％以下のゾーンＺ５には、運動内容として「最大強度運動」が設定されている。
【００８６】
なお、本実施形態では、カルボーネン法に基づく運動強度であるＨＲＲに基づいてゾーンが設定されているが、本実施形態はこれに限定されず、例えば、ＨＲｍａｘに基づいてゾーンが設定されてもよい。また、ゾーンは、脂肪燃焼ゾーン、糖質燃焼ゾーン、あるいは有酸素運動ゾーン、無酸素運動ゾーン、最大強度運動ゾーンとして設定するなど、種々の変形実施が可能である。さらに、各ゾーンに対応付ける運動内容も図５の例に限定されず、種々の変形実施が可能である。
【００８７】
また、運動時間とは、例えばある期間内において被検体が運動を行った累積時間のことである。運動時間は、例えばある期間内に行ったあらゆる種類の運動を行った時間の合計時間であってもよいし、運動強度や運動の種類毎に求められる時間であってもよい。
【００８８】
これにより、例えば処理部１３０が、運動強度及び運動時間に基づいて活動量指標情報（ＰＡ−Ｒ）を求めること等が可能になる。
【００８９】
そして、移動距離とは、例えばある期間内において被検体が移動した累積距離のことである。移動距離は、ある期間内における走行距離及び歩行距離の和であってもよいし、走行距離と歩行距離をそれぞれ別々に求めてもよい。
【００９０】
また、活動量指標情報ＰＡＩとは、被検体の活動量指標を表す情報である。そして、活動量指標は、例えば被検体の活動（運動）の活動レベル（運動レベル）のことである。より具体的に言えば、活動量指標は、例えば所定の期間内（例えば１週間）における被検体の運動（活動）の頻度や、実施される運動の強度等から算出される運動習慣を、段階的に設定した数値等により表したレベルのことである。例えば活動量指標は、後述する図６の表に示すＰＡ―Ｒ（Physical Activity Rate）などである。
【００９１】
そして例えば、活動量が前述した運動強度及び運動時間を含む場合には、活動量指標情報ＰＡＩは、運動強度及び運動時間により分類される複数の活動レベルのうち、被検体がいずれの活動レベルに属するかを示す情報である。
【００９２】
これにより、後述する図６の例のように、被検体の運動強度及び運動時間に基づいて複数の活動レベル（例えばＰＡ−Ｒ：０〜１０）を定義し、被検体が、複数の活動レベルのうちのどの活動レベルに属するかを特定すること等が可能になる。
【００９３】
また、例えば活動量が移動距離を含む場合には、活動量指標情報ＰＡＩは、移動距離（例えば走行距離）により分類される複数の活動レベルのうち、被検体がいずれの活動レベルに属するかを示す情報であってもよい。
【００９４】
これにより、後述する図６の例のように、被検体の移動距離に基づいて複数の活動レベル（例えばＰＡ−Ｒ：０〜１０）を定義し、被検体が、複数の活動レベルのうちのどの活動レベルに属するかを特定すること等が可能になる。
【００９５】
ここで、図６を用いて具体例を説明する。図６の表は、ＰＡ−Ｒと活動量の対応テーブルの一例であり、例えば記憶部１５０に記憶されている。図６に示すＰＡ―Ｒは、被検体の活動量を、０〜１０までの１１段階のレベル（又はグループ）に分類するように設定されている。そして、例えば図６の対応テーブルでは、「０〜１０」のＰＡ―Ｒ毎に、ＰＡ―Ｒに該当する行動内容と、走行距離及び歩行距離についての該当条件と、１週間におけるゾーン毎の運動時間の合計値（合計運動時間）についての該当条件が設定されている。但し、ＰＡ−Ｒは必ずしも１１段階に設定されるとは限らず、２以上の所与の段階に設定可能である。なお、図６の例では、運動強度及び運動時間から被検体の活動レベルを推定する処理（すなわち合計運動時間から活動レベルを推定する処理）と、移動距離（走行距離及び歩行距離の少なくとも一方）から活動レベルを推定する処理の両方を行って、いずれかの推定結果を選択してもよいし、２つの推定処理のうちの一方の処理のみを実行してもよい。そして例えば、両方の推定処理を行う場合には、求められたＰＡ−Ｒのうち、大きい方のＰＡ−Ｒを採用してもよい。
【００９６】
具体的に図６の対応テーブルでは、ＰＡ―Ｒ「１０」に該当する被検体の行動として、「１週間にａ１ｋｍ以上のランニング、又は１週間にｂ１時間以上のランニングと同程度の身体活動」が設定されている。なお、身体活動の具体例として、「ジョギング、水泳、サイクリング、ボート漕ぎ、縄跳び、テニス、バスケットボール、ハンドボールなど」が挙げられている。
【００９７】
また、ＰＡ―Ｒの走行距離には「ａ１ｋｍ以上」が設定されている。更に、合計運動時間についての該当条件には「ゾーンＺ５の運動時間Ｚ５＿ｔｍと、ゾーンＺ４の運動時間Ｚ４＿ｔｍと、ゾーンＺ３の運動時間Ｚ３＿ｔｍの合計値がｂ１時間以上であること」が設定されている。
【００９８】
また、ＰＡ―Ｒ「９」に該当する被検体の行動として、「１週間にａ２ｋｍ以上ａ１ｋｍ未満のランニング、又は１週間にｂ２時間以上ｂ１時間未満のランニングと同程度の身体活動」が設定されている。また、ＰＡ―Ｒ「９」に該当する走行距離としては「ａ２ｋｍ以上ａ１ｋｍ未満」が設定されている。更に、合計運動時間についての該当条件には「ゾーンＺ５の運動時間Ｚ５＿ｔｍと、ゾーンＺ４の運動時間Ｚ４＿ｔｍと、ゾーンＺ３の運動時間Ｚ３＿ｔｍの合計値がｂ２時間以上ｂ１時間未満であること」が設定されている。
【００９９】
ＰＡ―Ｒ「８」に該当する被検体の行動としては、「１週間にａ３ｋｍ以上ａ２ｋｍ未満のランニング、又は１週間にｂ３時間以上ｂ２時間未満のランニングと同程度の身体活動」が設定されている。また、ＰＡ―Ｒ「８」に該当する走行距離としては「ａ３ｋｍ以上ａ２ｋｍ未満」が設定されている。更に、合計運動時間についての該当条件には「ゾーンＺ５の運動時間Ｚ５＿ｔｍと、ゾーンＺ４の運動時間Ｚ４＿ｔｍと、ゾーンＺ３の運動時間Ｚ３＿ｔｍの合計値がｂ３時間以上ｂ２時間未満であること」が設定されている。
【０１００】
ＰＡ―Ｒ「７」に該当する被検体の行動としては、「１週間にａ４ｋｍ以上ａ３ｋｍ未満のランニング、又は１週間にｂ４時間以上ｂ３時間未満のランニングと同程度の身体活動」が設定されている。また、ＰＡ―Ｒ「７」に該当する走行距離としては「ａ４ｋｍ以上ａ３ｋｍ未満」が設定されている。更に、合計運動時間についての該当条件には、「ゾーンＺ５の運動時間Ｚ５＿ｔｍと、ゾーンＺ４の運動時間Ｚ４＿ｔｍと、ゾーンＺ３の運動時間Ｚ３＿ｔｍの合計値がｂ４時間以上ｂ３時間未満であること」が設定されている。
【０１０１】
ＰＡ―Ｒ「６」に該当する被検体の行動としては、「１週間にａ５ｋｍ以上ａ４ｋｍ未満のランニング、又は１週間にｂ５時間以上ｂ４時間未満のランニングと同程度の身体活動」が設定されている。また、ＰＡ―Ｒ「６」に該当する走行距離としては「ａ５ｋｍ以上ａ４ｋｍ未満」が設定されている。更に、合計運動時間についての該当条件には、「ゾーンＺ５の運動時間Ｚ５＿ｔｍと、ゾーンＺ４の運動時間Ｚ４＿ｔｍと、ゾーンＺ３の運動時間Ｚ３＿ｔｍの合計値がｂ５時間以上ｂ４時間未満であること」が設定されている。
【０１０２】
ＰＡ―Ｒ「５」に該当する被検体の行動としては、「１週間にａ６ｋｍ以上ａ５ｋｍ未満のランニング、又は１週間にｂ６時間以上ｂ５時間未満のランニングと同程度の身体活動」が設定されている。また、ＰＡ―Ｒ「５」に該当する走行距離としては「ａ６ｋｍ以上ａ５ｋｍ未満」が設定されている。更に、合計運動時間についての該当条件には、「ゾーンＺ１からゾーンＺ５の全てのゾーンにおける運動時間の合計値がｂ７時間以上であること」が設定されている。
【０１０３】
ＰＡ―Ｒ「４」に該当する被検体の行動としては、「１週間にａ６ｋｍ未満のランニング、又は１週間にｂ６時間未満のランニングと同程度の身体活動」が設定されている。また、ＰＡ―Ｒ「４」に該当する被検体の走行距離としては、「ａ６ｋｍ未満」が設定され、歩行距離は「ｃ１ｋｍ以上」が設定されている。更に、合計運動時間についての該当条件には、「ゾーンＺ１からゾーンＺ５の全てのゾーンにおける運動時間の合計値がｂ８時間以上ｂ７時間未満であること」が設定されている。
【０１０４】
ＰＡ―Ｒ「３」に該当する被検体の行動としては、「１週間にｂ９時間以上の適度な運動」が設定されている。なお、適度な運動としては、ゴルフ、乗馬、体操、卓球、ボウリング、重量挙げ、又は庭仕事等を例示できる。
【０１０５】
また、ＰＡ―Ｒ「３」に該当する走行距離としては、「ａ６ｋｍ未満」が設定されており、歩行距離には「ｃ２ｋｍ以上ｃ１ｋｍ未満」が設定されている。更に、合計運動時間についての該当条件には、「ゾーンＺ１からゾーンＺ５の全てのゾーンにおける運動時間の合計値がｂ１０時間以上ｂ８時間未満であること」が設定されている。
【０１０６】
ＰＡ―Ｒ「２」に該当する被検体の行動としては、「１週間にｂ１１時間未満の適度な運動」が設定されている。また、ＰＡ―Ｒ「２」に該当する走行距離としては「ａ６ｋｍ未満」が設定され、歩行距離には「ｃ３ｋｍ以上ｃ２ｋｍ未満」が設定されている。更に、合計運動時間についての該当条件には、「ゾーンＺ１からゾーンＺ５の全てのゾーンにおける運動時間の合計値がｂ１２時間以上ｂ１０時間未満であること」が設定されている。
【０１０７】
ＰＡ―Ｒ「１」に該当する被検体の行動としては、「積極的に階段を利用する行動、時々息が上がる行動又は汗をかく運動」が設定されている。また、ＰＡ―Ｒ「１」に該当する走行距離としては「ａ６ｋｍ未満」が設定され、歩行距離には「ｃ４ｋｍ以上ｃ３ｋｍ未満」が設定されている。更に、合計運動時間についての該当条件には、「ゾーンＺ１からゾーンＺ５の全てのゾーンにおける運動時間の合計値がｂ１３時間以上ｂ１２時間未満であること」が設定されている。
【０１０８】
ＰＡ―Ｒ「０」に該当する被検体の行動としては、「歩行や運動を避ける行動、エレベーターを使用する行動、又は徒歩圏内であっても車に乗る行動」が設定されている。また、ＰＡ―Ｒ「０」に該当する走行距離としては「ａ６ｋｍ未満」が設定され、歩行距離には「ｃ４ｋｍ未満」が設定されている。更に、合計運動時間についての該当条件には、「ゾーンＺ１からゾーンＺ５の全てのゾーンにおける運動時間の合計値がｂ１３時間未満であること」が設定されている。
【０１０９】
なお、各ＰＡ―Ｒに割り振られた行動、走行距離、歩行距離及び各ゾーンの運動時間の合計値は、あくまでも一例であり、ユーザー情報や被検体の状態、最大酸素摂取量を推定する推定式に合わせて適宜変更してもよい。
【０１１０】
そして処理部１３０は、ゾーン設定情報、被検体の生体情報、体動情報、運動強度及び運動時間、移動距離等から、被検体の運動がゾーンＺ１〜ゾーンＺ５のいずれのゾーンに属するかを検出し、更に、ゾーンＺ１〜ゾーンＺ５毎の運動時間の合計値から、図６で示したＰＡ―Ｒ（「０」〜「１０」のいずれか）を決定する。例えば処理部１３０は、ＰＡ−Ｒの値が大きい順に、図６に示す各該当条件を判断し、被検体の運動に当てはまるＰＡ−Ｒを決定してもよい。
【０１１１】
また、ＰＡ−Ｒと運動時間には、図７Ａ及び図７Ｂに示すような相関関係があることが分かっている。ここでは、被検体が第１の運動強度以上の運動を行った運動時間を、第１強度運動時間とし、被検体が第１の運動強度よりも強い第２の運動強度以上の運動を行った運動時間を、第２強度運動時間とする。なお、本例においては、第１強度運動時間は、例えば第２の運動強度以上の運動を行った時間も含むものとする。そして図７Ａには、第１の運動強度をｓ１％とした時の、第１強度運動時間（縦軸）とＰＡ−Ｒ（横軸）の相関関係をグラフに表している。また、図７Ｂには、第２の運動強度をｓ３％とした時の、第２強度運動時間（縦軸）とＰＡ−Ｒ（横軸）の相関関係をグラフに表している。図７Ａ及び図７Ｂのグラフにおいて、菱形の点ＳＤは、統計データに基づいてＪａｃｋｓｏｎの式により求められた運動時間とＰＡ−Ｒの相関関係を示している。そして、この菱形の点ＳＤの変化傾向に従って直線を引くと、直線（ＳＬ１、ＳＬ２）を引くことができ、これらの直線（ＳＬ１、ＳＬ２）に基づいて、前述した図６の対応テーブルを求めることができる。
【０１１２】
ＰＡ−Ｒと運動時間の相関関係を具体的に説明すると、まず図７Ａにおいて示されるように、ＰＡ−Ｒが０〜５の範囲において、ＰＡ−Ｒと第１強度運動時間は、比例係数を正とする比例関係にあるとみなすことができる。なお、ＰＡ−Ｒが６〜１０の範囲においても、ＰＡ−Ｒと第１強度運動時間は比例関係にあるとみなすことができるが、ＰＡ−Ｒが０〜５である時の比例係数の方が、ＰＡ−Ｒが６〜１０である時の比例係数よりも明らかに大きい。
【０１１３】
一方、図７Ｂに示すように、ＰＡ−Ｒが６〜１０の範囲において、第２強度運動時間とＰＡ−Ｒは、比例係数を正とする比例関係にあるとみなすことができる。なお、ＰＡ−Ｒが０〜５の範囲においても、ＰＡ−Ｒと第２強度運動時間は比例関係にあるとみなすことができるが、図７Ｂの例では図７Ａの例とは逆に、ＰＡ−Ｒが６〜１０である時の比例係数の方が、ＰＡ−Ｒが０〜５である時の比例係数よりも明らかに大きい。
【０１１４】
従って、０〜５の範囲のＰＡ−Ｒは、第１強度運動時間との相関がより強く、６〜１０の範囲のＰＡ−Ｒは、第２強度運動時間との相関がより強いと言える。このことは、例えばウォーキング等の軽めの運動（第１の運動強度〜第２の運動強度の運動）を中心に行っているユーザー（例えばＰＡ−Ｒが０〜５）は、ランニング等の激しい運動（第２の運動強度以上の運動）をあまり行っておらず、一方、激しい運動を中心に行っているユーザー（例えばＰＡ−Ｒが６〜１０）でも、軽めの運動を行っている時間は他の人とあまり変わらないことを示している。つまり、被検体の母集団を、軽めの運動を中心に行うグループ（例えばＰＡ−Ｒが０〜５）と、激しい運動を中心に行うグループ（例えばＰＡ−Ｒが６〜１０）の２グループに大きく分けることができると言える。そして、それぞれのグループの各被検体においては、グループの種類に対応する運動の運動時間に差があると言える。
【０１１５】
そのため、処理部１３０は、前述した活動量情報として第１強度運動時間及び第２強度運動時間を求め、第１強度運動時間に基づいて、第１の活動レベル〜第ｉの活動レベルのいずれかの活動レベルを（ｉは２以上の整数）、被検体の活動レベルとして選択して、活動量指標情報を求める。例えば図６の例では、第１の活動レベルがＰＡ−Ｒ「０」に対応し、第ｉの活動レベルがＰＡ−Ｒ「５」に対応する。つまり、例えば被検体が、前述した軽めの運動が中心のグループに分けられる場合には、０〜５の中からＰＡ−Ｒを選択する。
【０１１６】
そして、処理部１３０は、第２強度運動時間に基づいて、第ｊの活動レベル〜第ｋの活動レベルのいずれかの活動レベルを（ｊ及びｋは、ｉ＜ｊ＜ｋの整数）、被検体の活動レベルとして選択して、活動量指標情報を求める。例えば図６の例では、第ｊの活動レベルがＰＡ−Ｒ「６」に対応し、第ｋの活動レベルがＰＡ−Ｒ「１０」に対応する。つまり、例えば被検体が、前述した激しい運動が中心のグループに分けられる場合には、６〜１０の中からＰＡ−Ｒを選択する。
【０１１７】
これにより、例えば第２の運動強度よりも低い運動強度の運動を中心的に行う被検体については、第１強度運動時間に基づいて活動量指標情報を求め、第２の運動強度以上の運動を中心的に行う被検体については、第２強度運動時間に基づいて活動量指標情報を求めること等が可能になる。その結果、例えば被検体の運動習慣（運動スタイル）に合わせて、活動量指標情報の求め方を変えること等が可能になる。
【０１１８】
なお、変形例として、処理部１３０は、第１強度運動時間からＰＡ−Ｒを求める処理と、第２強度運動時間からＰＡ−Ｒを求める処理の両方の処理を行って、求められた２つのＰＡ−Ｒのうち、実際に使用するＰＡ−Ｒを選択してもよい。また、図６の例のように、例えば第２強度運動時間が１時間以上である場合には、優先的に第２強度運動時間に基づいてＰＡ−Ｒを求め、それ以外の場合には、第１強度運動時間に基づいてＰＡ−Ｒを求めても良い。
【０１１９】
また、処理部１３０は、第１の期間毎に求められた生体情報と体動情報に基づいて、第１の期間よりも長い第２の期間において、第１強度運動時間及び第２強度運動時間の少なくとも一方を求め、第１強度運動時間及び第２強度運動時間の少なくとも一方に基づいて、活動量指標情報を求める。例えば第１の期間は１日であり、第２の期間を１週間である。つまり、情報取得部１１０は、例えば１日毎に生体情報と体動情報を取得する。そして、処理部１３０は、生体情報と体動情報に基づいて、１週間毎に、第１強度運動時間及び第２強度運動時間の少なくとも一方を求め、これに基づいて、活動量指標情報（ＰＡ−Ｒ）を求める。
【０１２０】
これにより、被検体の短期的な活動量の変化を活動量指標情報に反映させにくくすること等が可能になる。その結果、被検体の活動量を長期的に評価した活動量指標情報を求めることができる。そして、このようにして求めたＰＡ−Ｒを用いて、上式（１）により、前述したＶＯ２ｍａｘを求めることができ、同じ運動を行った時の消費カロリーの推定値が短期間に大きく変動することを防ぐこと等ができる。
【０１２１】
５．変形例
次に、本実施形態の変形例について説明する。
【０１２２】
本変形において、記憶部１５０は、所与の期間での生体情報の履歴である生体履歴情報、及び所与の期間での体動情報の履歴である体動履歴情報を記憶してもよい。そして、処理部１３０は、生体履歴情報及び体動履歴情報に基づいて、最大酸素摂取量情報を求めてもよい。
【０１２３】
ここで、生体履歴情報とは、例えば所与の期間において取得された複数の生体情報が時系列順（又は取得順）に並べられた情報である。また、同様に、体動履歴情報は、例えば所与の期間において取得された複数の体動情報が時系列順（又は取得順）に並べられた情報である。
【０１２４】
例えば具体例を図８に示す。図８の例では、記憶部１５０が、４日分の生体情報（ＳＩ１〜ＳＩ４）が時系列順に並べられた生体履歴情報ＳＨＩを記憶している。また、記憶部１５０は、４日分の体動情報（ＰＩ１〜ＰＩ４）が時系列順に並べられた体動履歴情報ＰＨＩも記憶している。そして、処理部１３０は、これらの生体履歴情報ＳＨＩと体動履歴情報ＰＨＩに基づいて、被検体の活動量情報ＡＩを求め、求めた活動量情報ＡＩに基づいて活動量指標情報ＰＡＩを求める。そして、処理部１３０は、活動量指標情報ＰＡＩとユーザー情報ＵＩに基づいて、最大酸素摂取量情報ＭＯＩを求める。
【０１２５】
これにより、最大酸素摂取量情報の短期的な変動を抑制すること等が可能になる。そして、最大酸素摂取量情報に基づいて求められる、酸素摂取量と心拍数との相関情報の短期的な変動を抑制すること等が可能になる。その結果、同じ運動を行った時の消費カロリーの推定値が短期間に大きく変動することを防ぐこと等ができる。
【０１２６】
また、処理部１３０は、複数の活動量指標情報の平均化処理を行い、平均化処理後の活動量指標情報とユーザー情報とに基づいて、最大酸素摂取量情報を求めてもよい。
【０１２７】
例えば平均化処理の対象となる複数の活動量指標情報は、時系列順に（例えば１日おきに）取得されたものである。具体例を図９に示す。図９の例では、処理部１３０が、１日目に取得された生体情報ＳＩ１と体動情報ＰＩ１に基づいて、被検体の１日目の活動量ＡＩ１を求め、活動量ＡＩ１に基づいて活動量指標情報ＰＡＩ１を求める。同様にして、処理部１３０は、２日目に取得された生体情報ＳＩ２と体動情報ＰＩ２に基づいて、被検体の２日目の活動量ＡＩ２を求め、活動量ＡＩ２に基づいて活動量指標情報ＰＡＩ２を求める。さらに処理部１３０は、３日目と４日日も同様にして、活動量指標情報ＰＡＩ３及びＰＡＩ４を求める。そして、処理部１３０は、複数の活動量指標情報（ＰＡＩ１〜ＰＡＩ４）の平均化処理を行い、平均化処理後の活動量指標情報ＰＡＩ’を求める。そのため、平均化処理後の活動量指標情報は、過去の活動量指標情報を反映したものとなる。そして、処理部１３０は、ユーザー情報ＵＩと、平均化処理後の活動量指標情報ＰＡＩ’に基づいて、最大酸素摂取量情報ＭＯＩを求める。
【０１２８】
その結果、例えば新たに取得された活動量指標情報の活動量指標が前回値と大きく違っていても、推定される最大酸素摂取量情報の変動を抑制すること等が可能になる。すなわち、前述した生体履歴情報及び体動履歴情報に基づいて、最大酸素摂取量情報を求める処理と同様の効果を得ることができる。
【０１２９】
６．ウェアラブル機器の具体例
図１０Ａ及び図１０Ｂ、図１１に、生体情報及び体動情報を取得するウェアラブル機器５００（ウェアラブル装置）の外観図の一例を示す。本実施形態のウェアラブル機器５００は、バンド部１０と、ケース部３０と、センサー部４０を有する。図１０Ａ及び図１０Ｂに示すように、ケース部３０は、バンド部１０に取り付けられる。図１１に示すように、センサー部４０は、ケース部３０に設けられ、前述した生体センサー２００と体動センサー３００とを含む。
【０１３０】
バンド部１０は、ユーザーの手首に巻き付けてウェアラブル機器５００を装着するためのものである。バンド部１０はバンド穴１２、バックル部１４を有する。バックル部１４はバンド挿入部１５と突起部１６を有する。ユーザーは、バンド部１０の一端側を、バックル部１４のバンド挿入部１５に挿入し、バンド部１０のバンド穴１２にバックル部１４の突起部１６を挿入することで、ウェアラブル機器５００を手首に装着する。なお、バンド部１０は、バックル部１４の代わりに尾錠を有する構成としてもよい。
【０１３１】
ケース部３０は、ウェアラブル機器５００の本体部に相当するものである。ケース部３０の内部には、センサー部４０や不図示の回路基板等のウェアラブル機器５００の種々の構成部品が設けられる。即ち、ケース部３０は、これらの構成部品を収納する筐体である。
【０１３２】
ケース部３０には発光窓部３２が設けられている。発光窓部３２は透光部材により形成されている。そしてケース部３０には、フレキシブル基板に実装されたインターフェースとしての発光部が設けられており、この発光部からの光が、発光窓部３２を介してケース部３０の外部に出射される。また、ケース部３０には、発光部の代わりにＬＣＤ（Liquid Crystal Display）などの表示部を設けたり、表示部と発光部とを併設したりしても良い。
【０１３３】
ウェアラブル機器５００は、図１２Ａ等に示すようにユーザーの手首に装着され、当該装着された状態で、生体情報や体動情報の計測が行われる。
【０１３４】
７．生体情報処理システムの具体的な実現例
次に、本実施形態に係る生体情報処理システム１００を実現する具体的な装置の例について説明する。本実施形態に係る生体情報処理システム１００の機能は、例えばサーバーシステム６００により実現されてもよい。この場合の例が図１２Ａであり、例えばサーバーシステム６００である生体情報処理システム１００は、ネットワークＮＥを介してウェアラブル機器５００（電子機器）と接続され、当該ウェアラブル機器５００から、被検体の生体情報及び体動情報を取得する。ユーザーが装着するウェアラブル機器５００は、小型軽量となる必要があるため、バッテリーや装置内部の処理部の処理性能、或いはデータの記憶容量に制約が大きい。それに対して、サーバーシステム６００はリソースの制約が比較的小さいため、例えば生体情報及び体動情報、ユーザー情報に基づいてＶＯ２ｍａｘを推定し、消費カロリーを求める処理を高速で行ったり、より多くのデータ（生体履歴情報及び体動履歴情報等）を保持したりすることが可能である。
【０１３５】
なお、生体情報処理システム１００はウェアラブル機器５００で収集された各種情報を取得可能であればよいため、ウェアラブル機器５００と直接的に接続されるものに限定されない。例えば、図１２Ｂに示したように、ウェアラブル機器５００が他の処理装置７００と接続され、生体情報処理システム１００は当該処理装置７００とネットワークＮＥを介して接続される形態であってもよい。この場合の処理装置７００としては、例えばウェアラブル機器５００を装着するユーザーが使用するスマートフォン等の携帯端末装置が考えられる。そして、ウェアラブル機器５００と処理装置７００との接続は、ネットワークＮＥと同様のものを利用してもよいが、短距離無線通信等を利用することも可能である。
【０１３６】
また、本実施形態に係る生体情報処理システム１００はサーバーシステム６００ではなく、スマートフォン等の処理装置７００（電子機器、狭義には携帯端末装置）により実現されてもよい。この場合の構成例が図１２Ｃである。スマートフォン等の携帯端末装置は、サーバーシステム６００に比べれば処理性能や記憶領域、バッテリー容量に制約があることが多いが、近年の性能向上を考慮すれば、十分な処理性能等を確保可能となることも考えられる。よって、処理性能等の要求が満たされるのであれば、図１２Ｃに示したようにスマートフォン等を本実施形態に係る生体情報処理システム１００とすることが可能である。
【０１３７】
さらにいえば、端末性能の向上、或いは利用形態等を考慮した場合、前述したようにウェアラブル機器５００（電子機器）が本実施形態に係る生体情報処理システム１００を含む実施形態も否定されない。この場合、情報取得部１１０は、同一装置内の生体センサー２００及び体動センサー３００からの情報を取得することになる。ウェアラブル機器５００に生体情報処理システム１００が搭載される場合、当該生体情報処理システム１００では、大量のユーザーを対象としたデータ解析、保存等に対する要求は低く、ウェアラブル機器５００を使用する１又は少数のユーザーを対象とすればよい。つまり、ウェアラブル機器５００の処理性能等でもユーザーの要求を満たす可能性は十分考えられる。
【０１３８】
つまり、本実施形態の手法は、被検体の生体情報と、被検体の体動情報と、被検体のユーザー情報とを取得する情報取得部と、取得した各種情報に基づいてＶＯ２ｍａｘを推定する処理部、を含む端末装置（生体情報処理装置、生体情報解析装置、生体情報測定装置、生体情報検出装置）に適用できる。
【０１３９】
また、以上ではサーバーシステム６００、処理装置７００、ウェアラブル機器５００のいずれか１つの装置により生体情報処理システム１００が実現されるものとしたがこれに限定されることもない。例えば、生体情報及び体動情報、ユーザー情報の取得処理、ＶＯ２ｍａｘの推定処理が、複数の装置の分散処理により実現されてもよい。具体的には、サーバーシステム６００、処理装置７００、ウェアラブル機器５００のうちの少なくとも２つ以上の装置により生体情報処理システム１００が実現されてもよい。或いは、他の装置が生体情報処理システム１００の処理の一部を行ってもよく、本実施形態に係る生体情報処理システム１００は種々の装置（或いは装置の組み合わせ）により実現が可能である。
【０１４０】
また、本実施形態の生体情報処理システム及び電子機器等は、その処理の一部または大部分をプログラムにより実現してもよい。この場合には、ＣＰＵ等のプロセッサーがプログラムを実行することで、本実施形態の生体情報処理システム及び電子機器等が実現される。具体的には、非一時的な情報記憶装置に記憶されたプログラムが読み出され、読み出されたプログラムをＣＰＵ等のプロセッサーが実行する。ここで、情報記憶装置（コンピューターにより読み取り可能な装置）は、プログラムやデータなどを格納するものであり、その機能は、光ディスク（ＤＶＤ、ＣＤ等）、ＨＤＤ（ハードディスクドライブ）、或いはメモリー（カード型メモリー、ＲＯＭ等）などにより実現できる。そして、ＣＰＵ等のプロセッサーは、情報記憶装置に格納されるプログラム（データ）に基づいて本実施形態の種々の処理を行う。即ち、情報記憶装置には、本実施形態の各部としてコンピューター（操作部、処理部、記憶部、出力部を備える装置）を機能させるためのプログラム（各部の処理をコンピューターに実行させるためのプログラム）が記憶される。
【０１４１】
これにより、本実施形態の処理をプログラムにより実現することが可能になる。プログラムは、例えば、スマートフォン等のようなデバイスの処理部（例えばＤＳＰ）等に読み出されて実行されるプログラムであってもよい。
【０１４２】
以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また、生体情報処理システム及び電子機器等の構成、動作も本実施形態で説明したものに限定されず、種々の変形実施が可能である。
【符号の説明】
【０１４３】
１０…バンド部、１２…バンド穴、１４…バックル部、１５…バンド挿入部、
１６…突起部、３０…ケース部、３２…発光窓部、４０…センサー部、
１００…生体情報処理システム、１１０…情報取得部、１３０…処理部、
１５０…記憶部、２００…生体センサー、３００…体動センサー、
４００…プロセッサー、５００…ウェアラブル機器、６００…サーバーシステム、
７００…処理装置
【図１】
2017123897.tif 000003
【図２】
2017123897.tif 000004
【図３】
2017123897.tif 000005
【図４】
2017123897.tif 000006
【図５】
2017123897.tif 000007
【図６】
2017123897.tif 000008
【図７】
2017123897.tif 000009
【図８】
2017123897.tif 000010
【図９】
2017123897.tif 000011
【図１０】
2017123897.tif 000012
【図１１】
2017123897.tif 000013
【図１２】
2017123897.tif 000014